(57)【要約】【課題】生分解性に優れ、開封性が良好なキャップを提供する。【解決手段】生分解性樹脂で成型され、スコア１０で区画された開口予定部を天面壁８に持つキャップＫにおいて、該スコア１０は、薄肉寸法部１０ａと厚肉寸法部１０ｂとから構成されている。【選択図】図３
2006168733.tif 000002
【特許請求の範囲】
【請求項１】
生分解性樹脂で成型され、スコアで区画された開口予定部を天面壁に持つキャップにおいて、
該スコアは、少なくとも厚肉寸法部と薄肉寸法部とから構成されていることを特徴とする生分解性樹脂製キャップ。
【請求項２】
前記スコアは、肉厚寸法の異なる厚肉寸法部と中肉寸法部と薄肉寸法部とから構成されていることを特徴とする請求項１記載の生分解性樹脂製キャップ。
【請求項３】
前記厚肉寸法部と薄肉寸法部は、交互に配設されることを特徴とする請求項１記載の生分解性樹脂製キャップ。
【請求項４】
前記薄肉寸法部は、開口予定部に設けられたプルリング支柱の基部近傍に設けられていることを特徴とする請求項１、２、又は、３記載の生分解性樹脂製キャップ。
【請求項５】
生分解性樹脂で成型され、スコアで区画された開口予定部を天面壁に持つキャップにおいて、
前記開口予定部内に設けられた、プルリング支柱の基部近傍のスコアに空隙部を形成し、少なくとも前記空隙部を覆う生分解性フィルムを天面壁に貼着したことを特徴とする生分解性樹脂製キャップ。
【請求項６】
前記スコアは、空隙部に連続する厚肉寸法部と薄肉寸法部とから構成されていることを特徴とする請求項５記載の生分解性樹脂製キャップ。
【発明の詳細な説明】
【技術分野】
【０００１】
この発明は、調味料用容器などに装着されるキャップに関するものであり、更に述べると、生分解性樹脂により形成されたキャップに関するものである。
【背景技術】
【０００２】
調味料用容器などに使用されているキャップは、スコアで区画された開口予定部をもつ天面壁と、該開口予定部に立設されたプルリング支柱と、を備えている。このキャップは、通常、ポリエチレン等の合成樹脂を用いて例えば射出成形のような公知の成形手段で製造している。前記キャップでは、プルリングを指で摘んで所定方向に引っ張ることにより、スコアを切り裂き、天面壁に注出用の開口を形成している。
【０００３】
前述の樹脂は、取り扱いが容易な上に、原料コストも安価なためにキャップの様な大量生産品の場合には向いている。
しかし、このキャップには、以下のような問題がある。即ち、上記樹脂は、使用後廃棄する際、ごみの量が増える上に、自然環境下で分解されないために、埋設処理しても半永久的に地中に残る。
【０００４】
そこで近年、前記問題を解決するために、キャップを生分解性樹脂で形成することが提案されている。（例えば、特許文献1、参照）
【０００５】
【特許文献１】特開２００３−３０１０９６号公報
【発明の開示】
【発明が解決しようとする課題】
【０００６】
しかし、従来の生分解性樹脂からなるキャップは、開口の際にプルリングを引っ張っても、薄肉部であるスコアが切り裂けないので、円滑に開口を形成することができない。
【０００７】
この発明は、上記事情に鑑み、生分解性に優れ、開封性が良好なキャップを提供することを目的とする。
【課題を解決するための手段】
【０００８】
この発明は、生分解性樹脂で成型され、スコアで区画された開口予定部を天面壁に持つキャップにおいて、該スコアは、少なくとも厚肉寸法部と薄肉寸法部とから構成されていることを特徴とする。
【０００９】
この発明のスコアは、厚肉寸法部と薄肉寸法部と中肉寸法部とから構成されていることを特徴とする。この発明の厚肉寸法部と薄肉寸法部は、交互に配設されることを特徴とする。この発明の薄肉寸法部は、開口予定部に設けられた、プルリング支柱の基部近傍に設けられていることを特徴とする。
【００１０】
この発明は、生分解性樹脂で成型され、スコアで区画された開口予定部を天面壁に持つキャップにおいて、前記開口予定部内に設けられた、プルリング支柱の基部近傍のスコアに空隙部を形成し、少なくとも前記空隙部を生分解性フィルムで封鎖したことを特徴とする。
【００１１】
この発明のスコアは、空隙部に連続する厚肉寸法部と薄肉寸法部とから構成されていることを特徴とする。この発明のスコアには、間隔をおいて複数の空隙部が設けられ、各空隙部は生分解性フィルムで封鎖されていることを特徴とする。
【発明の効果】
【００１２】
本発明のキャップは、生分解性樹脂で成型され、スコアは厚肉寸法部と薄肉寸法部の少なくとも２種類の厚み寸法部から構成されているので、又は、生分解性樹脂で成型され、前記開口予定部内に設けられたプルリング支柱の基部近傍のスコアに空隙部を形成し、少なくとも前記空隙部を覆う生分解性フィルムを天面壁に貼着したので、自然環境中に放置されても分解するため環境に優しく、又、生分解性樹脂で形成されていても開封性は良好であり、これまでの樹脂と同等の性能を有する。
【発明を実施するための最良の形態】
【００１３】
本発明者は、キャップの材料として生分解性樹脂を使用した場合の、キャップの開封性を改良するためには、どうすればよいかを検討し、実験研究を重ねた。その結果、スコアの肉厚を少なくとも２種類、即ち、薄肉寸法部と厚肉寸法部とから構成するか、又はプルリング支柱の基部近傍のスコアを空隙部にし、少なくとも該空隙部を覆うように生分解性フィルムを天面壁に貼着した構成とすることで、開封初期の開封力を低減させ、開封性により優れたキャップを提供できることを見出し、本発明に至った。
【００１４】
本発明のキャップに使用される樹脂としては、脂肪族ポリエステル、多糖類、その他の分解性生樹脂が挙げられる。脂肪族ポリエステルとしては、ポリ乳酸、ポリグリコール酸、ポリカプロラクトン、ポリエチレンオキサレート、ポリブチレンオキサレート、ポリブチレンテレフタレート、ポリブチレンテレフタレートアジペート、ポリネオペンチルグリコールオキサレート、ポリエチレンサクシネート、ポリブチレンサクシネート、ポリブチレンサクシネートアジペート、ポリヒドロキシ酪酸及びβ-ヒドロキシ酪酸とβ-ヒドロキシ吉草酸とのコポリマー等が挙げられ、単独あるいは２種類以上ブレンドして用いることができる。このうち、ポリブチレンサクシネート、ポリブチレンサクシネートアジペート、ポリ乳酸、ポリグリコール酸、ポリカプロラクトンは特に好ましい。これらの生分解性樹脂は、単独で用いても、２種類以上のブレンドで使用しても良い。また各種添加剤（滑剤や加水分解抑制剤）などを添加することが好ましい。
【００１５】
滑剤としては、一般に樹脂の成形に使用されるもの全てを適用することが可能であるが、特に本発明の樹脂組成物を食品包装の用途に用いる場合には、食品添加物として使用が認められているものを用いることが望ましい。具体的には、特開平８−２７３６３で提案されているステアリン酸などの脂肪酸や、エルカ酸アミド、メチレンビスステアリン酸アミド、エチレンビスステアリン酸アミド、エチレンビスパルミチン酸アミド、エチレンビスオレイン酸アミド等の脂肪酸アミド、または上記脂肪酸と脂肪酸アミドとの混合物を用いることができる。
【００１６】
加水分解抑制剤としては、加水分解を抑制することができれば、特にその種類は限定されず、例えば、特許第３５１４７３６号や特開２００３−１６５９１７で提案されているカルボジイミド化合物を用いることができる。
【実施例】
【００１７】
この発明の第1実施例を図1〜図3により説明する。
キャップＫは、生分解性樹脂により射出成形される。この生分解性樹脂として好ましくは、脂肪族ポリエステル樹脂が用いられ、例えば、曲げ弾性率が３００ＭＰａのポリブチレンサクシネートアジペートが採用される。
【００１８】
このキャップＫは、容器の口部Ｍを挟持する内筒１及び係合突起２付外筒３と、内筒１に連続する螺合筒４と、該螺合筒４により支持された注出筒６と、を備えている。
【００１９】
注出筒６の下端部は、天面壁８により閉鎖されている。この天面壁８には、開口予定部９を囲むスコア１０が形成され、その開口予定部９には、プルリング支柱１２が立設されている。
【００２０】
スコア１０は、プルリング支柱２の基部１２ａ近傍に形成され、断面三角形状の切込みが形成された薄肉寸法部１０ａと、断面台形状又は三角形状に形成された厚肉寸法部１０ｂと、から構成されているが、前記切り込みの形状は必要に応じて適宜選択される。実験によると、スコア１０の薄肉寸法部１０ａ、厚肉寸法部１０ｂは０．０５ｍｍ〜０．２５ｍｍの範囲でそれぞれ選択することが好ましい。成形時のスコア１０のピンホールや、開封時のスコアの切り裂き性を考慮すると、０．０７ｍｍ〜０．２０ｍｍの範囲で薄肉寸法部１０ａ、厚肉寸法部１０ｂをそれぞれ選択することがより好ましく、例えば、薄肉寸法部１０ａの肉厚寸法として０．０９ｍｍ、厚肉寸法部１０ｂの肉厚寸法として、０．１５ｍｍが選択される。
【００２１】
プルリング支柱１２の基部１２ａ近傍のスコアは、薄肉寸法部１０ａであり、その他の部分は、厚肉寸法部１０ｂである。なお、前記その他の部分は、厚肉寸法部１０ｂと薄肉寸法部１０ａとを周方向に交互にしても良い。スコア１０の肉厚寸法が、複数種類、即ち、薄肉寸法部１０ａと厚肉寸法部１０ｂとからなる場合、射出成形機で溶融状態の生分解性樹脂を、金型内に射出する際、該樹脂の流れが良好となるので、ピンホール等の成形不良の発生を防止することができる。
【００２２】
なお、図に於いて、１４はプルリング支柱１２に設けられたプルリング、１６は図示しない分別回収用の弱化線を切り裂くための摘み片を示す。
【００２３】
次に、本実施例の作動について説明する。
キャップＫが打栓装着されている容器の内容物を、注出する場合には、図示しない外蓋を所定方向に回して螺合筒４から外す。そうするとプルリング１４が露出する。
【００２４】
プルリング１４を斜め上方に引っ張ると、プルリング支柱１２が同方向に引っ張られるので、該支柱１２の基部１２ａ近傍のスコア１０に大きな引張り力がかかる。このとき、前記基部１２ａ近傍のスコア１０は、薄肉寸法部１０ａであるので、容易に切り裂きが開始される。
【００２５】
プルリング１４を更に同方向に引っ張ると、厚肉寸法部１０ｂも切り裂かれるので、開口予定部９は完全に天面壁８から分離され、開口が形成される。
【００２６】
容器を傾けると、内容物が開口から注出筒６内に流れ込み、器外に排出される。所望量の注出を終了後、外蓋を螺合筒４に螺着する。
【００２７】
この発明の第２実施例を図４〜図６により説明するが、図１〜図３と同一図面符号はその機能も同一である。
この実施例と第１実施例との相違点は、次の通りである。
プルリング支柱１２の基部１２ａ近傍のスコアが、薄肉寸法部の代わりに、空隙部２０となっており、少なくともこの空隙部２０を覆うように生分解性フィルム２２が天面壁に貼着されていること。この生分解性フィルム２２の厚さは、薄肉寸法部１０ａより薄く形成される。この生分解性フィルム２２はインサート成型、溶着等の公知の手段で天面壁に貼着され、天面壁の全体に亘って貼着しても良いし、少なくとも空隙部２０を覆うように、天面壁に部分的に貼着して良い。
【００２８】
スコア１０が、空隙部２０、薄肉寸法部１０ａ、厚肉寸法部１０ｂから構成されていること。この薄肉寸法部１０ａは空隙部２０側に配設されていること。
【００２９】
スコア１０に厚肉寸法部１０ｂを設けることなく、空隙部２０と薄肉寸法部１０ａのみで構成しても良い。
【００３０】
この発明の実施例は、上記に限定されるものではなく、例えば、容器口部に打栓装着される打栓式キャップの代わりに、螺着されるスクリュー式キャップを用いてもよい。又、スコアの肉厚寸法は、薄肉寸法部、厚肉寸法部の２種類に限らず、それらの中間の肉厚寸法を有する中肉寸法部、を採用してもよい。
【図面の簡単な説明】
【００３１】
【図１】本発明の第１実施例を示す平面図である。
【図２】底面図である。
【図３】図１のIII−III線断面図である。
【図４】本発明の第２実施例を示す平面図である。
【図５】底面図である。
【図６】図４のVI−VI線断面図である。
【符号の説明】
【００３２】
８      天面壁
９      開口予定部
１０    スコア
１０ａ  薄肉寸法部
１０ｂ  厚肉寸法部
１２    プルリング支柱
１２ａ  基部
２０    空隙部
２２    生分解性フィルム
【図１】
2006168733.tif 000003
【図２】
2006168733.tif 000004
【図３】
2006168733.tif 000005
【図４】
2006168733.tif 000006
【図５】
2006168733.tif 000007
【図６】
2006168733.tif 000008